Podtech/llm-jp-corpus-v4-ja_patent huggingface dataset:
(57)【要約】【課題】Ａ４等各種用紙を、簡易且つ均等に三つ折りできる事務用品の考案を課題とする。【解決手段】封筒あるいは簡易三つ折り具の任意の基準点から、三つ折りしようとする用紙の辺の長さの三分の一に相当する位置に印を付ける。用紙の一辺を基準点に合わせ、合わせた辺と平行して向かい合う辺をこの印に合わせ折り曲げた後、基準点に合わせた辺を折り曲げにより生じた辺に合わせ折り返すことにより、用紙を簡易且つ均等に三つ折り出来るようにした。【選択図】    図２
0003108030.tif 000002
【実用新案登録請求の範囲】
【請求項１】
封筒上の任意の基準点から、三つ折りしようとする用紙の一辺の長さの三分の一に相当する位置に、折り返し位置を示す印を付けた封筒。
【請求項２】
用紙の一辺を定位置にそろえるための突起部と、突起部から三つ折りしようとする用紙の一辺の長さの三分の一に相当する位置に、折り返し位置を示す印を合わせ持つ事務用品。
【考案の詳細な説明】
【考案の詳細な説明】
【技術分野】
【０００１】本考案は、予め必要な部分に印の付いた封筒あるいは三つ折り専用の事務用品（以下、簡易三つ折り具と略記する）を用いることにより、用紙を簡易且つ均等に三つ折りするための技術に関するものである。
【背景技術】
【０００２】各種用紙を均等に三つ折りする場合、通常は該当する辺の長さを測定し、その三分の一の長さに相当する部分に印を付けた後、これを目安に折り曲げている。しかし、企画の定まった大きさの用紙、あるいは同一の大きさの用紙を多数三つ折りする場合、一枚ずつこの作業をするのは煩雑で、より簡易な方法が求められている。
【考案が解決しようとする課題】
【０００３】本考案は、予め封筒あるいは簡易三つ折り具の一部に印を付けておき、この印に合わせ用紙を折り曲げることにより、用紙を簡易且つ均等に三つ折り出来るようにしたものである。
【問題を解決するための手段】
【０００４】  上記の目的を達成するため、予め封筒あるいは簡易三つ折り具の任意の基準点から、三つ折りしようとする用紙の一辺の長さの三分の一に相当する位置に印を付けておき、用紙の一辺を基準点に合わせた後、これと平行して向かい合う辺をこの印に合わせ折り曲げる。その後、先に基準点と合わせた用紙の一辺を、折り曲げにより生じた辺に合わせ折り返すことにより、用紙を簡易且つ均等に三つ折りできるようにした。基準点は、封筒の場合縦長の一辺とすると都合がよい。また、簡易三つ折り具の場合は、その一部に設けた突起部を基準点とし、用紙の一辺を突起部に押しあてることにより、一度に複数の用紙を簡易に基準点に合わせることができる。
【考案を実施するための最良の形態】
【０００５】以下に本考案の実施の形態を、Ａ４用紙を定形封筒である長形３号の封筒に三つ折りして入れる場合を例に説明する。市販のＡ４用紙は、縦２９７ｍｍ、横２１０ｍｍの大きさを持った用紙で、これを長形３号の封筒に入れる場合、縦長方向に三つ折りにして入れるのが通常である。その際、適当に三つ折りにしてもよいが、それぞれの分画部の大きさが異なると、用紙を開いた際あまり見栄えがよくない。また、三つ折りした一分画が封筒の幅より大きい場合は封筒に入らない。【０００６】本考案は、こうした問題を解決するため、予め基準点から９９ｍｍ（Ａ４用紙の縦長い辺の長さの三分の一に相当）離れた位置に印を付けた封筒あるいは簡易三つ折り具を用いることにより、三つ折りしたそれぞれの分画部が均等に９９ｍｍとなるようにするものである。この幅ならば、三つ折りしたＡ４用紙を長形３号封筒内に余裕を持って入れることが出来る。ただし、実際の折り曲げ作業では、印の位置は基準点から１００〜１０１ｍｍ程度の方が作業がし易いため、以下の説明では基準点から印までの長さは１００ｍｍとする。
【実施例】
【０００７】以下に実施例をあげ本考案を具体的に説明するが、本考案はその趣旨を越えない限り、以下の実施例に限定されるものではない。【０００８】実施例１：長形３号の封筒の一辺（基準点）から垂直方向に１００ｍｍ離れたのりしろ部分に印を印刷した封筒を用い、Ａ４用紙を縦長方向に三つ折りする場合の実施例を図１〜３に示す。【０００９】実施例２：本体に設けた突起部（基準点）から垂直方向に１００ｍｍ離れた位置に印を付けた簡易三つ折り具を用い、Ａ４用紙を縦長方向に三つ折りする場合の実施例を図４〜６に示す。【００１０】実施例１に示したとおり、Ａ４用紙の一辺を長形３号封筒の縦長の一辺に合わせた後、用紙の平行して向かい合う一辺を封筒ののりしろに印刷された印に合わせ折り曲げることにより、折り返し部分がＡ４用紙の縦長方向の長さの三分の一、即ち９９ｍｍの大きさになる。その後残りの三分の二の部分を二つ折りにすれば、Ａ４用紙全体を封筒に入る大きさでほぼ１００ｍｍずつ均等に三つ折りすることができる。のりしろ部分に印刷された印は、封印後は見えなくなるため、外見上も問題はない。なお、図１ののりしろ部に付けた二つの印の内上部の印は、実施例１で基準点とした辺（図１に示した封筒の上部の辺）と平行して向かい合う辺（図１に示した封筒の下部の辺）を基準点とした場合に利用する印である。【００１１】実施例２は、多数のＡ４用紙を三つ折りにする場合に効率化が図れるよう工夫したものである。実施例１では、Ａ４用紙の一辺と基準点である封筒の一辺を合わせる場合若干の手間を要する。これに対し実施例２では、Ａ４用紙の一辺を簡易三つ折り具の突起部に押しあてるだけで、簡単に簡易三つ折り具の基準点と、Ａ４用紙の辺を合わせることが出来るため効率化が図れる。なお、突起部にＡ４用紙の一辺を合わせた後は、これと平行して向かい合う辺を実施例１と同様簡易三つ折り具上に付けた印に合わせ折り返した後、残りの三分の二の部分を二つ折りすればよい。
【考案の効果】
【００１２】以上詳述したとおり、本考案を用いればＡ４用紙を簡易且つ均等に三つ折りすることができる。
【図面の簡単な説明】
【図１】三つ折り位置を印刷した封筒上に、Ａ４用紙の一辺を封筒の縦長方向の一辺（基準点）に合わせ置いた状態を示す図である。
【図２】Ａ４用紙の一辺を、三つ折り位置を示す印に合わせ折り曲げた状態を示す図である。
【図３】封筒の基準点に合わせたＡ４用紙の一辺を、図２で折り曲げにより生じた辺に合わせて折り返し、三つ折りした状態を示す図である。
【図４】簡易三つ折り具の突起部に、Ａ４用紙の一辺を押しあて、置いた状態を示す図である。
【図５】Ａ４用紙の一辺を、簡易三つ折り具に付けた印に合わせ折り曲げた状態を示す図である。
【図６】Ａ４用紙の一辺を、図５に従って折り曲げた辺に合わせて折り返し、三つ折りした状態を示す図である。
【図７】図４のＡ−Ｂ断面図を示す図である。
【符号の説明】
１  長形３号封筒
２  三つ折り位置を示す印
３  Ａ４用紙
４  簡易三つ折り具
５  突起
【図１】
0003108030.tif 000003
【図２】
0003108030.tif 000004
【図３】
0003108030.tif 000005
【図４】
0003108030.tif 000006
【図５】
0003108030.tif 000007
【図６】
0003108030.tif 000008
【図７】
0003108030.tif 000009
(57)【要約】      （修正有）【課題】本考案はオゾン発生表示ランプ付きオゾン発生装置で、オゾン発生装置の電源回路内に保護回路を設置して、オゾン発生部でオゾンの発生が中止又は破損事故や異常が発生してオゾンの発生が中止したとき、オゾンの発生中止を保護回路が感知してオゾン発生表示ランプを消灯してオゾンの発生が中止していることを表示して、オゾンが発生していないことを知らせることを目的としている。【解決手段】本考案はオゾン発生装置、オゾン発生部、保護回路、オゾン発生表示ランプ、電源回路、高電圧コード、電線、可変ボリュームから構成されている。入力電源から電源が供給されて、オゾン発生装置から高電圧がオゾン発生部に供給され、オゾンが発生する。オゾン発生部でオゾンが発生すると、オゾン発生表示ランプが点灯する。オゾン発生体からオゾンの発生が中止したとき、保護回路がオゾンの発生中止を感知してオゾン発生表示ランプを消灯して、オゾンの発生が中止したことを瞬時に知らせる。【選択図】図１
0003108029.tif 000002
【実用新案登録請求の範囲】
【請求項１】
オゾン発生装置にオゾン発生表示ランプを付けたもので、オゾンが発生するとオゾン発生表示ランプが点灯して、オゾン発生中であることを表示し、オゾンの発生に必要な高電圧が供給されなくなったり、オゾン発生部のオゾン発生体が破損したり、異常が発生すると、オゾンの発生が中止したことを知らせるオゾン発生表示ランプ付きオゾン発生装置。
【考案の詳細な説明】
【技術分野】
【０００１】本考案は、オゾン発生装置にオゾン発生表示ランプを付けたもので、オゾンが発生するとオゾン発生表示ランプが点灯して、オゾンが発生中であることを表示するが、オゾンの発生を中止したとき、又は、オゾン発生部のオゾン発生体が破損したり異常が発生するとオゾンの発生が中止するが、オゾンの発生が中止したことをオゾン発生表示ランプが消灯して、オゾンの発生が中止したことを知らせる構造を持つオゾン発生表示ランプ付きオゾン発生装置に関するものである。［背景技術］【０００２】従来のオゾン発生装置にはオゾンの発生をするためにオゾン発生装置の電源を入れると、パイロットランプが点灯して、オゾンが発生中であることを知らせる。【０００３】しかしながら、オゾンの発生が中止しても、オゾン発生装置の電源を切らなければパイロットランプは消灯しない。【０００４】これではオゾンが発生していることを表示しているので、オゾンが発生していない時でもパイロットランプが点灯していて誤った表示をしてしまう。【０００５】又、従来のオゾン発生装置では、オゾン発生部のオゾン発生体に破損事故や異常が発生してオゾンの発生が中止していても、パイロットランプが点灯しているのでオゾンの発生が中止していることを発見できない。【０００６】［考案の開示］［考案が解決しようとする課題］解決しようとする問題点は、現在使用されているオゾン発生装置ではオゾンの発生が中止又は中断していても、オゾンの発生が中止していることを発見することが出来ないことです。【０００７】［課題を解決するための手段］本考案は、オゾン発生表示ランプ付きオゾン発生装置で、オゾン発生装置の電源回路内に保護回路を設置して、オゾン発生部でオゾンの発生が中止又は破損事故や異常が発生してオゾンの発生が中止したとき、オゾンの発生中止を感知してオゾン発生表示ランプを消灯してオゾンの発生が中止していることを表示して、オゾンが発生していないことを知らせるオゾン発生表示ランプ付きオゾン発生装置である。【０００８】更に、オゾン発生表示ランプ付きオゾン発生装置では、オゾン発生装置の電源が入ったままで、オゾン発生表示ランプの表示が保護回路の働きでオゾン発生の中止を知らせるので、すぐに部品交換をして、再起動できるため、オゾン発生を確実に維持できる。【０００９】［考案の効果］本考案のオゾン発生表示ランプ付きオゾン発生装置は、オゾンの発生を確実に知らせて、オゾンの発生が連続管理できて、オゾン発生の中断を防止出来ることである。【００１０】［考案を実施するための最良の形態］本考案のオゾン発生表示ランプ付きオゾン発生装置はオゾンの発生が中止又は中断してオゾンが供給されなくなったことを瞬時に発見できる。【００１１】このオゾン発生表示ランプ付きオゾン発生装置ではオゾンの発生中止が瞬時に発見出来るので、オゾンを連続して使用する除菌処理等ではその威力を発揮出来る。【００１２】［実施例１］本考案の実施例を図面に基づいて説明する。図１は本考案のオゾン発生表示ランプ付きオゾン発生装置の構成図でオゾン発生装置１、オゾン発生部２、保護回路３、オゾン発生表示ランプ４、入力電源５、高電圧コード６、電線７、可変ボリューム８とから構成されている。【００１３】ここで、図１について詳細に説明する。図１はオゾン発生表示ランプ付きオゾン発生装置の構成を示す図で、オゾン発生装置１に入力電源５を接続し、オゾン発生装置１の内部に保護回路３を設置し、オゾン発生装置１から高電圧コード６によりオゾン発生部２を接続して、オゾン発生装置１にオゾン発生表示ランプ４を接続し、オゾンの発生量を調整する可変ボリュームを接続することにより構成されている。【００１４】各部品の説明をする。【００１５】オゾン発生装置１は高電圧電源、電源ランプ、収納ケースとから構成されている。【００１６】オゾン発生部２はオゾン発生体と収納カバーから構成されている。【００１７】保護回路３はオゾン発生装置１の内部に設置されている。【００１８】オゾン発生表示ランプはＬＥＤを使用する。【００１９】入力電源５はＡＣ１００Ｖ、ＤＣ１２又は２４Ｖ等の電源を接続する。【００２０】高電圧コード６は耐電圧１．５〜３万Ｖのシリコン被覆コードを使用する。【００２１】電線７は耐圧１２５Ｖ・０．５〜５Ａの電線を使用する。【００２２】可変ボリューム８はオゾン発生量を調整するためのものである。【００２３】［考案の効果］以上のように構成された本考案のオゾン発生表示ランプ付きオゾン発生装置は連続してオゾンを発生して、除菌処理等で使用するときに、オゾンの発生が中止又は破損事故や異常発生によりオゾンの発生が中止したとき、瞬時にオゾンの発生中止が発見出来ることはすばらしいことである。【００２４】オゾン発生を連続して行うとき、オゾンの発生の中断が瞬時に発見出来ることによりオゾンの連続使用が出来ることはすばらしいことである。【００２５】さらに、本考案のすばらしいことは非常に安価なもので、取り扱いも専門知識を必要とせず、安全運転の実施及び取り扱いの簡単なことは大切なことである。
【図面の簡単な説明】
【００２６】
【図１】本実施例のオゾン発生表示ランプ付きオゾン発生装置の構成を示す図である。
【符号の説明】
【００２７】１．オゾン発生装置２．オゾン発生部３．保護回路４．オゾン発生表示ランプ５．入力電源６．高電圧コード７．電線８．可変ボリューム
【図１】
0003108029.tif 000003
(57)【要約】【課題】この考案は、子供が洗面台の使用や、台所の手伝い等をし始める年齢から、子供の成長に合わせ、高さが変えられ、運搬が容易な１台の踏み台を、踏み台が不要になるまで使用可能とすること、また、複数の子供を持つ場合に備え、棚板を差し替え簡単に高さを変更出来るよう、１台に汎用性をもたせること。【解決手段】この考案は、図１の台座の側板に棚受けとなる棒を、棚として必要な段数分埋め込み１０ミリメートル程の突起を作る。棚板を子供の身長に合う突起に載せることで、子供の適当な作業位置が確保出来て課題が解決できる。【選択図】図１
0003108011.tif 000002
【実用新案登録請求の範囲】
【請求項１】
底板の両側に側壁を設け、側壁の両内側に、１段につき４個の水平な突起を数段分設けた、運搬が容易な台座を作成し、その突起部に棚板を置き、数段階の高さ可変式踏み台を作成することにより、この１台で、子供が成長し、踏み台が不要になるまで、子供の生活上必要な高さの獲得を目的とする子供用高さ可変式踏み台。
【考案の詳細な説明】
【技術分野】
【０００１】  この考案は、例えば子供が流し台や調理台で台所の手伝いなどをするとき、又、洗面台を使用して洗顔、歯磨きなどをするときに、この器具を使用し、成長に応じて必要な高さを設定出来ることにより、子供の日常生活の手助けになることと、子供教育を目的とする子供用高さ可変式踏み台に関する。
【背景技術】
【０００２】  従来から、家庭で使用する子供用踏み台としては、流し台から引き出す方法や、いくつか存在したが、この考案のように、子供の足のサイズ、身長の変化に対応し多段階に高さを変えられ、運搬が容易な踏み台は存在しなかった。
【考案の開示】
【考案が解決しようとする課題】
【０００３】  家庭の洗面台、流し台は大人サイズに出来ていて、育児の過程で、子供に洗顔や台所の家事などを段階的に教育していく際に、成長に合わせ多段階に高さが調節出来る踏み台が無いことによる親、子の不便さ。
【課題を解決するための手段】
【０００４】  図−１のように両側板に棚受けとなる棒を必要な段数分埋め込み、一枚の棚板で多段階に目的に応じた高さを得る。
【考案の効果】
【０００５】  この考案の子供用高さ可変式踏み台を使用することにより、子供教育などで、台所作業をさせるときや、子供が洗面台で洗顔、歯磨き、手洗いなどをする場合、成長に合わせて高さが調整できるため、つねに最良の作業姿勢を得ることが可能である。また複数の子供を持っている場合は、棚板を差し替えるだけで、それぞれの身長に応じた高さに簡単に変更出来ることで、子供の日常生活に便利さを提供できる。
【考案を実施するための最良の形態】
【０００６】  本考案には図１、概観図のように、台座と棚板があり、台座の側壁に１段につき水平に４箇所棚受けをつけ、必要な段数分設ける。棚受けには丸棒を使用し、側壁に埋め込み１０ミリメートル程度突出させる。側壁奥の最上部を台座の安定補強のためと、運搬に便利なための丸棒を挟み込む。底板と側壁と安定補強のための丸棒の連結は本実施例が木材のため、接着剤、木ネジにて連結する。使用時の安定のため、台座底板裏面に転倒防止用の板を装着するが、これは底板中心で回転するようにし、表裏どちらにも突出するようにすると、子供が椅子として使用するような場合の安定も得られる。棚板は底板、側板の奥行きと同じ寸法のものを使用、側板の間にぴったり収まる長さのものを使用し、棚受けと同じ位置に同じサイズのドリルで半丸の刻みを入れ、棚板が棚受けに収まるようにすると安定する。本考案は木製であるが、プラスチック、化学繊維等で製作すれば台座の一体化、強化、軽量化が図られると思われる。
【実施例】
【０００７】  以下、添付図面に従って一実施例を説明するが、図−１は外観図で１は台座底板、２は台座側板、３は側板の上部支え丸棒、４は底板、丸棒と側板との固定ネジで片側に６個使用、５は棚板（踏み台）で使用時の安定を得るため棚受け丸棒にあたる部分に同サイズの半丸の刻みをつけてある。６は使用時の転倒防止用支えであり、図３のように台座裏面の中心部に、支えの補強になる８のワッシャー付きのネジで止めて、支え用の板が回転するように出来ている。７は棚受け丸棒で側板に埋め込み、棚受け部分を残して切断してある。【０００８】  又、材料に関して実施例では木材を使用したが、数年間に亘っての使用に耐えうる強さを有し、持ち運びに容易な重さの材料であれば材質は問わない。【０００９】  又、寸法に関して間口は台所での使用に関しては、子供の動く範囲を考えて数１０センチメートル位が適当で、洗面台用では３０センチメートル位でよいと思うが、他の用途に使用する場合は用途に応じて変えればよく、奥行きに関しては台所、洗面台での使用時はこの台の必要な身長までの足の寸法を考えると１８センチメートル位でよいと思うが、他の用途に使用する場合は用途に応じて変えればよい。高さに関しては、使用始めの年齢と用途を考慮し、洗面台使用の年齢を１歳以上とした場合、２５センチメートル位を最上段とし数段階に亘って下げられるのが良いと思われる。
【産業上の利用可能性】
【００１０】  この考案は、家庭における育児過程での子供、親の便利さを得る目的で発想したものであるが、他に異年齢集団である保育所や、幼稚園などで利用しても利便性を発揮すると思われる。
【図面の簡単な説明】
【図１】本考案の子供用高さ可変式踏み台の外観図を示す。
【図２】本考案の台座部の正面、側面、平面図である。
【図３】本考案の台座裏面を表す。
【図４】本考案の棚板（踏み台）の正面、側面、平面図である。
【符号の説明】
１    台座底板
２    台座側板
３    上部支え丸棒
４    固定ネジ
５    棚板（踏み台）
６    転倒防止用支え
７    棚受け丸棒
８    ワッシャー付き固定ネジ
【図１】
0003108011.tif 000003
【図２】
0003108011.tif 000004
【図３】
0003108011.tif 000005
【図４】
0003108011.tif 000006
(57)【要約】【課題】  本考案は、特に寒冷地における換気口内部の結露現象の発生を防止するとともに網板およびフィルターの交換作業を迅速かつ容易に行うことを目的とする。【解決手段】  本考案にあっては、内周面部に保温材４を装着した円筒体１の外周鍔部２'に嵌合する排気口８を有する蓋体７の内部にフィルター６及び網板５を介装し、前記蓋体を前記円筒体の外周鍔部に着脱し得るようにし、前記フィルター及び網板を交換し得るようにするものである。【選択図】    図１
0003108017.tif 000002
【実用新案登録請求の範囲】
【請求項１】
内周面部に保温材を装着した円筒体の外周鍔部に嵌合する排気口を有する蓋体の内部にフィルター及び網板を介装し、前記蓋体は前記円筒体の外周鍔部に着脱し得るようにし、前記フィルター及び網板を交換し得るようにすることを特徴とする建物用換気口。
【考案の詳細な説明】
【技術分野】
【０００１】
本考案は、建物用換気口に関するものである。
【背景技術】
【０００２】
本考案の出願人は、これまでに多くの建物用換気口に関する技術開発をし特許及び実用新案登録の出願をして来ているが、当業界においては特に寒冷地における換気口内部の結露問題に対しては殆ど配慮されていなかった。
【０００３】
従来技術としては、次のようなものが見られるだけである。
【０００４】
【特許文献１】特開平９−１００５８３号公報
【特許文献２】特開２０００−３０４３２１号公報
【特許文献３】登録実用新案第３０４０８７９号公報
【考案の開示】
【考案が解決しようとする課題】
【０００５】
そこで、本考案は上記のような課題を解決することを目的とするものである。
【課題を解決するための手段】
【０００６】
本考案は、内周面部に保温材を装着した円筒体の外周鍔部に嵌合する排気口を有する蓋体の内部にフィルター及び網板を介装し、前記蓋体は前記円筒体の外周鍔部に着脱し得るようにし、前記フィルター及び網板を交換し得るようにするものである。
【考案の効果】
【０００７】
第１に、長期間の使用中に目詰まりを起こしたり汚損した網板やフィルターを定期的に視認して、これを洗浄したり新品交換をしたりすることが容易にできる。
【０００８】
第２に、円筒体内部に保温材を設置することにより防音効果があるとともに結露防止の効果を十分上げることができるから、長期間安全かつ安心して使用することができる。
【考案を実施するための最良の形態】
【０００９】
本考案器具は、使用中にそのフィルターや網板がすすで汚損したり目詰まりを起こしたりして、円滑な機能を果たさなくなることが起こるから、そのときは外部にある蓋体を螺子を介して円筒体の外周鍔部から取外した後、網板及びフィルターを取出す。
【００１０】
しかる後に、網板を水洗浄して汚れ目詰まり部分を落とし、またフィルターは新品に交換する。
【実施例】
【００１１】
１は建物外壁に設けた開口部に設置する円筒体で、この円筒体の外側フランジ部２に設けた鍔部２'の内側上縁部に小凹部３を設ける。
【００１２】
４は前記円筒体１の内周面部に装着する保温材で、これには例えばウレタン系の材料を用いる。
【００１３】
５は網板で、この網板と前記円筒体１の外周鍔部２'の外面部との間にはフィルター６を介装する。
【００１４】
７は排気口８を有する蓋体で、この蓋体の内側上縁部には突起９を設けるが、この突起は蓋体７の前記円筒体鍔部２'への嵌合時には小凹部３と係合するように成る。
【００１５】
前記蓋体７の円筒体鍔部２'への嵌合時には、蓋体の下縁部に設けた通孔１０に螺子１１を挿入し、前記円筒体鍔部２の下縁部に設けた通孔１２との間を連結するようにし、蓋体は必要に応じて取外し得るように構成する。
【００１６】
図面の実施例によれば、蓋体は開閉自在に調節し得る構成をとるが、開閉調節しない常時開口状態に構成してもよい。
【図面の簡単な説明】
【００１７】
【図１】全体の部品の分離状態を示した斜視図
【図２】全体の組立状態を示した斜視図
【図３】図２における中央部分の縦断面図
【符号の説明】
【００１８】
１                    円筒体
２'                   鍔部
３                    小凹部
４                    保温材
５                    網板
６                    フィルター
７                    蓋体
８                    排気口
９                    突起
１０                  通孔
１１                  螺子
１２                  通孔
【図１】
0003108017.tif 000003
【図２】
0003108017.tif 000004
【図３】
0003108017.tif 000005
(57)【要約】【課題】就寝時、足部の疲労感、不快感を、解消して気持よく就寝する事が可能な足枕具を提供する。【解決手段】本考案足枕具は、本体を山型の台座状に形成し、高（１）中（２）低（３）とそれぞれ高さの異なる３ヶ所の足のせ部を設けた。又トンネル状空間（４）を設けて、自由に足を出し入れ出来る様にした。【選択図】図３
0003108012.tif 000002
【実用新案登録請求の範囲】
【請求項１】
足枕具本体中央部下にトンネル状空間（４）を設け、高さの異なる足のせ高部（１）中間部（２）低位部（３）の３ヶ所設けたことを特徴とする、足を重ねず自由に位置を変えられる足枕具。
【考案の詳細な説明】
【技術分野】
【０００１】就寝時、直接足を重ねず、足の位置を色々変えて、自分の好みの姿勢で安眠できる、足枕具に関するものである。
【背景技術】
【０００２】従来、疲れた時足を組んだり、交叉したり、高くしたり、位置を変える事により血行を良くして、少しでも楽になる様に無意識のうちに足を動かしているが、足を重ねると普通の人で平均７ｋｇ前後の重力がかかり、痛みを感じて、同じ姿勢を長くつづける事は無理であった。
【考案の開示】
【考案が解決しようとする課題】
【０００３】就床時間の多い高齢者や入院患者などは、足部の疲れや不快感などを、解決したいと思っていても、従来の足もみ器やマッサージ器などは高価で、型状も大きく、一般のフトンやベットなどでの使用は困難であった。本考案はこの課題を解消するためになされた。
【課題を解消するための手段】
【０００４】本考案足枕具は、本体を山形台座状に形成、高さの異なる３ヶ所の足のせ部、各（１）（２）（３）と中央直下にトンネル状空間（４）を設けた事を特徴とする足枕具である。
【考案の効果】
【０００５】トンネル状空間（４）や、各足のせ部（１）（２）（３）を交互、片方づつ、好きな位置に足をのせて使用する事により、リラックス出来、今までの様に直接足を重ねる事により、しびれたり痛くなったりする事がなくなった。
【考案を実施するための最良の形態】
【０００６】      以下本考案の実施の形態を説明する。
（イ）本考案足枕具は、一般に使用されている頭用枕と同程度の大きさ即ち底面は、横４０ｃｍ、〜４２ｃｍ、巾１４ｃｍ、高さ中心部１３ｃｍ、である。
（ロ）素材は木製、本体は、山形台座状に形成、中央高部天板に足のせ部（１）左側斜め中間に足のせ部（２）右側端底部近くに足のせ部（３）を設けた。高部（１）の直下にトンネル状空間（４）を設けた。足のせ部（２）と足のせ部（３）は、それぞれ、この空間（４）の左右に位置する。
（ハ）本来、木工製品であるが、其の他の素材、即ち合成樹脂、芯入り布製などによっても、同様に製作出来る。構造は比較的簡単であり製作にあたっては、多くの設備を要しない。
【図面の簡単な説明】
【０００７】
【図１】本考案足枕具の斜視図である。
【図２】本考案足枕具の断面図である。
【図３】本考案足枕具の使用例図である。
【符号の説明】
【０００８】１  高部
２  中間部
３  低位部
４  トンネル状空間
【図１】
0003108012.tif 000003
【図２】
0003108012.tif 000004
【図３】
0003108012.tif 000005
(57)【要約】      （修正有）【課題】ケチャップ・マヨネーズ等のビニール容器の下部に取出口を、上部に空気口を付けた容器を提供する。【解決手段】容器の上部に空気口・キャップ、下部に取出口・流出防止の十字切り込み・キャップを付けた。【選択図】図２
0003108087.tif 000002
【実用新案登録請求の範囲】
【請求項１】
ケチャプ又はマヨネーズのビニール容器の下部に取出口を付け、上部は空気口を付けた握り下出し。
【考案の詳細な説明】
【考案の詳細な説明】
この実用新案は、ケチップ・マヨネーズのビニール容器の下部に取出口を上部に空気口を付けたもので容器を握って取出口から出すものである。
従来の容器は取出口は上部しか付いてないため、容器の内容量が少なくなった時、容器をさかさまにして取出口から出すのに時間がかかり不便であった。
本考案は、その欠点を除くためになされたものでこれを図面について説明すれば、図面１のＡの容器の下部に取出口（１）を付け上部に空気口（２）を付ける。
本考案はこのような構造であるから、図面１のＢ、空気口（２）を閉め取出口（１）を開けて容器を握れば容易に出すことが出来る。
握って出した後は図面１のＣの容器のように取出口（１）を閉め空気口（２）を開ければ容器が元に戻ることが出来る。
最後に空気口（２）も閉める。
尚取出口（１）を開けた時、流出を防ぐための流出防止（図面２）も付いている。十字の切り込み  ハ
【図面の簡単な説明】［図面１］Ａ、Ｂ、Ｃ本考案の正面図である。
［図面２］本考案の正面図である。
［図面２］ハ、本考案の断面図である。
【符号の説明】
イ、ビニール容器  ロ、キャップ  ハ、流出防止の十字切り込み
【図１】
0003108087.tif 000003
【図２】
0003108087.tif 000004
【手続補正書】
【提出日】平成16年9月14日(2004.9.14)
【手続補正１】
【補正対象書類名】実用新案登録請求の範囲
【補正対象項目名】全文
【補正方法】変更
【補正の内容】
【実用新案登録請求の範囲】
【請求項１】
ケチャップ又はマヨネーズのビニール容器であって、下部に取出口を付け、上部に空気口を付けたことを特徴とするビニール容器。
【手続補正２】
【補正対象書類名】明細書
【補正対象項目名】全文
【補正方法】変更
【補正の内容】
【考案の詳細な説明】
【技術分野】
【０００１】  この考案は、ケチャップ・マヨネーズのビニール容器に関する。
【背景技術】
【０００２】  従来の容器は取出口は上部しか付いてないため、容器の内容量が少なくなった時、容器をさかさまにして取出口から出すのに時間がかかり不便であった。
【考案の開示】
【考案が解決しようとする課題】
【０００３】  前記のように、従来の容器は取出口は上部しか付いてないため、容器の内容量が少なくなった時、容器をさかさまにして取出口から出すのに時間がかかり不便であった。
本考案は、その欠点を除くためになされたものである。
【課題を解決するための手段】
【０００４】  ケチャップ又はマヨネーズのビニール容器において、下部に取出口を付け、上部に空気口を付けたことを特徴とする。
【考案を実施するための最良の形態】
【０００５】  本考案を図面について説明すれば、図１のＡの容器イの下部に取出口（１）を付け、上部に空気口（２）を付ける。【０００６】  本考案はこのような構造であるから、図１のＢ、空気口（２）を閉め、取出口（１）を開けて容器を握れば、容易に出すことが出来る。【０００７】  握って出した後は、図１のＣの容器のように、取出口（１）を閉め、空気口（２）を開ければ、容器が元に戻ることが出来る。
最後に空気口（２）も閉める。【０００８】  尚、取出口（１）を開けた時、流出を防ぐための流出防止（図２）も付いている。十字の切り込みハ。
【図面の簡単な説明】
【０００９】
【図１】  Ａ、Ｂ、Ｃは、本考案容器の正面図である。
【図２】  本考案の断面図である。ハは、十字流出防止の正面図である。
【符号の説明】
【００１０】    イ・ビニール容器
ロ・キャップ
ハ・流出防止の十字切り込み
(57)【要約】      （修正有）【課題】粘着テープの表面に予め決められた長さの左右一定の区割用模様を印刷し、区割作業を均等に且つ効率よく作業をする事を目的とする。【解決手段】粘着テープの表面に予め決められた区割用の左右一定の区画用模様を印刷する事で各区割りが一目で判断出来るもので、使用する模様はその都度使用する場所に依っても長さを変える事も出来る。これは区画と区画を区別する模様は一定であるが、一つの区画の中の模様又は長さは変更できる。【選択図】図１
0003108090.tif 000002
【実用新案登録請求の範囲】
【請求項１】
接着剤付きテープに区割りを示す区割り用模様入りのテープです。各区画と区画が一目で判別出来る様、区割り模様が入ったテープです。このテープの模様は区割り範囲が異なる毎に多く又少なくなったり出来るので、その長さにより調節出来る為、どんな場所でも容易に利用でき又簡単に使用出来る接着剤付き区割りテープである。
【請求項２】
接着剤付き区割りテープに付ける番号ステッカー。この接着剤付き区割り用テープにより場所の確認を容易にするために別途番号を添付する。添付する番号は一連番号で予め必要とされる数を用途別に作成しておく。この番号ステッカーはロール式出なくてもよい。一枚の台紙の上に一枚づつ容易にはがし、それ接着剤付き区割りテープの模様の上に添付する事で一層この粘着剤付き区割りテープの効果をより高める為の番号ステッカーである。
【考案の詳細な説明】
【技術分野】
【０００１】この考案は、粘着テープの表面に区割り範囲を指定した連続模様を、左右一定方向に印刷した物である。
【背景技術】
【０００２】従来、この様な区割り作業は巻き尺等目盛りの付いた物で一つずつ図りながら、印を付けていた。
【考案が解決しようとする課題】
【０００３】従来の方法では一つずつの目盛りの読み違い等全てが同一にならない事があり時間も掛かり重労働であった。会場が広くなればなる程大変な作業となる。しかし、この接着剤付きテープを使用する事により一々目盛りを図らなくても起点さえ決めておけばテープを延ばして行くことで区割りは簡単に作業が出来る
【課題を解決するための手段】
【０００４】この粘着テープの表面に区割り範囲を指定した連続模様を入れる事によりはっきりと指定範囲が分かる。どんな場所でも使用可能出来るのが何よりの利点。
【考案の効果】
【０００５】本考案は、従来の欠点を解消するために考案したものであり、粘着テープがその対象物に付着すればどんな場所でも利用できる。尚、この粘着テープは効率的に作業を進める上でも使い捨てとする。
【考案の実施するための最良の形態】
【０００６】区割りテープの一端をまず固定する事によりそこから順次テープの上を重い力を加える事により順次固定されます。このテープは既に区割り模様が印刷されているものであるから簡単に区画が明瞭に判断出来る。より一層特定の場所を分かり易くする為にはその区割り模様の中に番号を入れる事により、より効果的に利用出来る。
【実施例】
【０００７】本考案の実施例を詳述すれば、この粘着剤付きテープは長さは自由に決める事が出来る上に軽量な為持運びも簡単で素早くさ作業も出来とても効率的である。
【産業上の利用可能性】
【０００８】この考案は作業を手早く効率的に行うために考案いたみので、主にフリーマーケットや各種イベント等に効率的であり、大量に作る事で安全で低コストで提供出来るので経済的でもある。
【図面の簡単な説明】
【０００９】
【図１】接着剤付き区割り用テープの全容
【図２】図１の２の部分の模様
【図３】図２の箇所の長く設定した時の模様
【図４】図２又は図３の箇所に張りつけるステッカー
【符号の説明】
【００１０】  １．，テープの巻芯  ２．テープの表部  ３．テープの裏面の接着剤付き部分
【図１】
0003108090.tif 000003
【図２】
0003108090.tif 000004
【図３】
0003108090.tif 000005
【図４】
0003108090.tif 000006
【手続補正書】
【提出日】平成16年9月16日(2004.9.16)
【手続補正１】
【補正対象書類名】実用新案登録請求の範囲
【補正対象項目名】全文
【補正方法】変更
【補正の内容】
【実用新案登録請求の範囲】
【請求項１】
接着剤つき区割り模様入りテープにおいて
裏面には接着剤をつけ、
表面には区割り用の連続模様を施し、
上記のテープをロール状に仕上げたことを特徴とする接着剤付き区割り用テープ。
(57)【要約】      （修正有）【課題】毎日定期的に薬を服用する場合の服用状況管理を可能とする。【解決手段】服用時間帯表示６にもとずき薬服用後、表示切替ボタン１を操作することにより切替り表示灯２が服用済み表示に切り換り、本人及び周囲の人も薬の服用状況管理が容易となる。【選択図】図１
0003108083.tif 000002
【実用新案登録請求の範囲】
【請求項１】
薬の収納部分３．表示切替ボタン１．切替り表示灯２（又は絵模様）から構成され、薬服用後、表示切替ボタン１を操作することにより切替り表示灯２が薬服用済み表示に切り換わることを特長とする薬の服用管理箱。
【請求項２】
上記、表示切替ボタン１．切替り表示灯２は複数個（服用時間帯朝・昼・夜）設け、服用時期にあわせて服用時間帯表示６の表示箇所の表示切替ボタン１操作することにより切替り表示灯２の点検に伴い毎日、薬の服用管理ができる特長を有する。
服用時間帯表示６はラベル（朝・昼・夜等）で自由に記入表示又は交換が可能。
【請求項３】
時計５．月日４（カレンダ）を設け服用時間帯及び月日が明確となり又、月日４・表示切替ボタン１・切替り表示灯２は指定時間に自動的にリセットされる、又手動にて操作及びリセット可能な装置。
【請求項４】
なお、服用時間帯になれば自動的にアラーム８が鳴り、その旨を周囲に通知する。
【考案の詳細な説明】
【技術分野】
【０００１】  本考案は、薬を服用する本人及び周囲の人が服用時間帯に定期的に服用しているか、否か服用状況管理が容易となる薬の服用管理箱である。
〔背景技術〕【０００２】  近年高齢者が多く、又、高齢者故、物忘れも多々あり、例えば、高血圧薬等は毎日定期的に服用要すが、必要とする時間帯に服用したか、否か、本人及び周囲の人も分からなくなる場合があり、服用状況管理が出来ない問題点を有していた。
〔考案の開示〕
〔考案が解決しようとする課題〕【０００３】  解決しようとする問題点は、薬の服用状況は薬の残量等の確認程度で正確な服用状況は容易に管理出来ない点である。
〔問題を解決しようとする手段〕【０００４】  本考案は、月日（カレンダ）・時計の時間表示及び薬局の指示通りの服用時間帯表示の確認後、薬収納容器に薬を収納し、薬の服用時間帯に薬を服用後、表示切替ボタンを操作することにより、切替り表示灯が切り換わり、服用状況が明確となることを主要な特長とする。【０００５】  薬の服用時間帯になれば自動的にアラーム（音楽等）にて通知され、飲み忘れ防止も図られる。
〔考案の効果〕【０００６】  服用後表示切替ボタンを操作することで本人の服用自覚を促すと同時に、本人、周囲の人共、服用状況の管理が容易、且つ、明確に管理出来る効果がある。
〔考案を実施するための最良の形態〕【０００７】  服用時間帯表示をもとに服用後、表示切替ボタンを操作し、切替り表示灯の確認により、服用済みの確認を容易にし、月日（カレンダ）の日にち切り換り時、表示切替ボタン及び切替り表示灯も自動的にリセットされる。
〔実施例〕【０００８】  図１は薬の服用管理箱の正面図であり１は表示切替ボタン、２は切替り表示灯、３は薬収納容器、４は月日（カレンダ）、５は時計、６は服用時間帯表示、７は引出し用取手、８はアラームで構成されている。【０００９】  服用時間帯表示６（ラベル）をもとに薬を服用し、同服用時間帯表示６と同一箇所の表示切替ボタン１を操作することにより、切替り表示灯２が服用済み表示に切り換ることにより服用完了が明確になる。
服用時間帯表示６は本人が服用時間帯（例、朝・昼・夜等）の記入又は、予め印刷されたラベルと取替えが容易な様式になっています。【００１０】  薬は薬収納容器３に保管し、引出し用取手７にて自由に薬の収納・取出しが可能。【００１１】  時計５の作動により、月日（カレンダ）４・表示切替りボタン１・切替り表示灯２も自動的にリセットされ、又各々手動操作（含む、リセット）が可能となる。
本発明の主体は表示切替ボタン操作により切替り表示灯の切替り表示に基ずく、薬の服用状況管理が主目的なので電子機器・機構系の説明は省略する。
〔産業上の利用可能性〕【００１２】  本服用時間帯表示・表示切替ボタン・切替り表示灯を大型パネル化し、総合病院等に設置すれば多人数の投薬状況管理が容易となり、又、携帯電話に変わる、ワイヤレス信号を送信すれば多様な場所から大型パネルに情報送信が可能となり、入院患者の投薬・介護情報の管理が可能となる。
【図面の簡単な説明】
【００１３】〔図１〕薬の服用管理箱の正面図。
〔図２〕薬の服用管理箱の側面図。
【符号の説明】
【００１４】１  表示切替ボタン
２  切替り表示灯
３  薬収納容器
４  月日（カレンダ）
５  時計
６  服用時間帯表示
７  引出し用取手
８  アラーム
【図１】
0003108083.tif 000003
【図２】
0003108083.tif 000004
【手続補正書】
【提出日】平成16年6月4日(2004.6.4)
【手続補正１】
【補正対象書類名】実用新案登録請求の範囲
【補正対象項目名】全文
【補正方法】変更
【補正の内容】
【実用新案登録請求の範囲】
【請求項１】
薬の収納部分３．表示切替ボタン１．切替り表示灯２．から構成され、薬服用後、表示切替ボタン１を操作することにより切替り表示灯２が薬服用済み表示に切り換わることを特長とする薬の服用管理箱。
【請求項２】
表示切替ボタン１．を操作することにより切替り表示灯２．の薬服用済み表示の代わりに絵模様にて表示し、同、絵模様が薬服用済み表示に切り換わる薬の服用管理箱。
【請求項３】
表示切替ボタン１．切替り表示灯２は複数個設け、服用時期にあわせて服用時間帯表示６の表示箇所の表示切替ボタン１操作することにより切替り表示灯２の薬服用済み表示の点検に伴い毎日、請求項１記載の、薬の服用管理ができる特長を有する薬の服用管理箱。
【手続補正書】
【提出日】平成16年9月15日(2004.9.15)
【手続補正１】
【補正対象書類名】実用新案登録請求の範囲
【補正対象項目名】全文
【補正方法】変更
【補正の内容】
【実用新案登録請求の範囲】
【請求項１】
薬収納容器３は、引出し式で常時薬を収納し、服用時間帯に手動にて薬を取出し服用する、表示切替ボタン１．切替り表示灯２．は電気系統にて接続され、薬服用後、表示切替ボタン１を操作することにより切替り表示灯２が薬服用済み表示に切り換わることを特長とする薬の服用管理箱。
【請求項２】
表示切替ボタン１．を操作することにより切替り表示灯２．の薬服用済み表示の代わりに絵模様にて表示し、同、絵模様が薬服用済み表示に切り換わる、請求項１記載の薬の服用管理箱。
【請求項３】
表示切替ボタン１．切替り表示灯２は複数個設け、服用時期にあわせて服用時間帯表示６の表示箇所の表示切替ボタン１操作することにより切替り表示灯２の薬服用済み表示の点検に伴い毎日、薬の服用管理ができる、請求項１記載の薬の服用管理箱。
(57)【要約】      （修正有）【課題】瓶のキャップ留めを容易に外すことができる器具の提供。【解決手段】長尺形状の本体を有し、本体の曲がり部から先端部にかけて先細り形状となっており、先端部に前記曲がり部とは逆に曲がる曲がり部を備えた器具。【選択図】図−２
0003108088.tif 000002
【実用新案登録請求の範囲】
【請求項１】
本製品は本体の先端部がわずかに角度がついていて、器具の先端にはテコの原理を応用のために曲がっている従って一本の物体で構成されている、即ちこれを分別ビンのキャップ留め抜き「ぬけるんだー」と言う。
【考案の詳細な説明】
【考案の詳細な説明】
【考案の利用分野】
【０００１】本考案はビンとキャップ留めを外すときに使用するための器具である。
【背景技術】
【０００２】従来はビンのキャップ留めを外す道具がなくベンチ、ペライヤー、ドライパーなどで外していた。
【考案が解決しようとする課題】
【０００３】解決するためにはセン抜きの原理を反対にして力点に下向きの力を加えるようした。
【０００４】図−２に示すようビンとキャップ留めの間には若干の段差がありその段差の箇所に先端部を差し込み下に軽く下げるだけでビンのキャップ留めが簡単に抜ける仕組みである。
【０００５】本器具はどのサイズのビンのキャップ留めにも利用でてきるように先端部は細く曲がっているためとても使いやすくできている。
【考案の効果】
【０００６】この製品の開発によりビンとキャップ留めの分別が誰でも簡単にできるのが特徴であり効果抜群である。
【図面の簡単な説明】
【図−１】キャップ留め抜き「ぬけるんだー」部品図
【図−２】キャップ留め抜き「ぬけるんだー」完成図
【図−３１】キャップ留め抜き「ぬけるんだー」使用例
【符号の説明】
１．先端部    ２．にぎり部    ３．つるし穴
【課題】
【解決手段】
上記の通り、この製品を使用すれば誰にでも簡単にビンのキャップ留めをはずすことができる。
【図−１】
0003108088.tif 000003
【図−２】
0003108088.tif 000004
【図−３】
0003108088.tif 000005
0003108088.tif 000006
【手続補正書】
【提出日】平成16年9月17日(2004.9.17)
【手続補正２】
【補正対象書類名】実用新案登録請求の範囲
【補正対象項目名】全文
【補正方法】変更
【補正の内容】
【実用新案登録請求の範囲】
【請求項１】
長尺形状の本体を有し、本体の端部に２ヵ所角度を設け、その上部より先端部まで斜めにカットし、先端部は刃のようになっている仕組みで構成されている空き瓶キャップ抜き器
【手続補正３】
【補正対象書類名】明細書
【補正対象項目名】全文
【補正方法】変更
【補正の内容】
【考案の詳細な説明】
【考案の利用分野】
【０００１】いろいろの瓶についているプラスチックキャップを外すときに使用するものである。
【背景技術】
【０００２】従来は瓶のキャップを外す道具がなくペンチやドライバー等で外していたが、最近では環境への配慮が重視され廃棄物分別回収が実施されキャップ外しに困っていたので本製品を企画開発した。
【考案の効果】
【０００３】この製品の開発より瓶のキャップ外しが簡単になり誰にでも外せるので効果的である。
【図面の簡単な説明】
【図１】  上面から見た図
【図２】  立体図の通りシンプルでスマートにできている。
【符号の説明】
１．先端部  ２．斜めカット部  ３．にぎり部  ４．つるし穴
【手続補正４】
【補正対象書類名】図面
【補正対象項目名】全図
【補正方法】変更
【補正の内容】
【図１】
0003108088.tif 000007
【図２】
0003108088.tif 000008
(57)【要約】      （修正有）【課題】広範囲な視野を確保可能な車のバックミラーを提供する。【解決手段】バックミラーの鏡面を丸くカーブさせる。【選択図】なし【実用新案登録請求の範囲】
【請求項１】
普通のバックミラーの死角をいかに見えるようにするかの課題に  バックミラーをまるくカーブさせる解決手段をとることにより、どこまでも視野がきくようにできる。
【考案の詳細な説明】
【考案が解決しようとする課題】
普通のバックミラーの死角とよばれる角度を見えるようにするにはどうしたらよいか。
【課題を解決するための手段】
バックミラーをまるくカーブさせることにより、広いはんいに視野がとどく。
【考案の効果】
バックミラーをまるくカーブさせると視野が広がり死角とされるところが広く見えるようになる。
0003108082.tif 000002
【手続補正書】
【提出日】平成16年5月20日(2004.5.20)
【手続補正１】
【補正対象書類名】実用新案登録請求の範囲
【補正対象項目名】全文
【補正方法】変更
【補正の内容】
【実用新案登録請求の範囲】
【請求項１】
バックミラーの死角をいかに見えるようにするかの課題に、バックミラーをまるくカーブさせる解決手段をとることにより、死角をどこまでも視野がきくようにできるバックミラーのこと。
【手続補正２】
【補正対象書類名】明細書
【補正対象項目名】全文
【補正方法】変更
【補正の内容】
【考案の詳細な説明】
【０００１】バックミラーのこと
【背景技術】
【０００２】バックミラーが以前には平らなものだった。
【考案の開示】
【考案が解決しようとする課題】
【０００３】バックミラーの死角とよばれる角度を見えるようにするにはどうしたらよいか。
【課題を解決するための手段】
【０００４】図２、図４の６、の死角のないバックミラーによるつまりバックミラーをまるく軽くカーブさせることにより、広いはんいに視野がとどく。
【考案の効果】
【０００５】図２の６、図４の６の死角のないバックミラーすなわちバックミラーをまるくカーブさせたものをつかうことによりバックが見える視野が広がりバックミラーの死角とされるところがかぎりなくなくなる
【産業上の利用可能性】
【０００６】車のバックミラーには、この死角のないバックミラーがすべて使われるようになるでしょう。
【図面の簡単な説明】
【０００７】
【図１】車の右側の「背景技術」「０００２」のバックミラが以前にはひらたいものだったの図。
【図２】車の右側の死角のないバックミラーの図。
【図３】車の左側のバックミラーが以前はひらたいものだったの図。
【図４】車の左側の死角のないバックミラーの図。
【符号の説明】
【０００８】１．車のバックミラーが以前はひらたいもの
２．人の頭
３．人の視野
４  バックミラーの死角
５  車
６  死角のないバックミラー
【手続補正３】
【補正対象書類名】図面
【補正対象項目名】全図
【補正方法】変更
【補正の内容】
【図１】
0003108082.tif 000003
【図２】
0003108082.tif 000004
【図３】
0003108082.tif 000005
【図４】
0003108082.tif 000006
【手続補正書】
【提出日】平成16年9月17日(2004.9.17)
【手続補正１】
【補正対象書類名】実用新案登録請求の範囲
【補正対象項目名】全文
【補正方法】変更
【補正の内容】
【実用新案登録請求の範囲】
【請求項１】
バックミラーの死角をいかに見えるようにするかの課題に、バックミラーの鏡面をまるくカーブさせて、死角をどこまでも視野がきくようにしたバックミラー。
(57)【要約】      （修正有）【課題】外出先でストーブを消したがどうかの不安をなくし、且つ子供特に幼児が誤って或いはいたずらでストーブを点火・消火することをなくそうとする装置である。更に、丸棒の先端を使用し、缶コーヒーや缶ジュースのプルトップを容易に開けることが出来るストーブスイッチ入り・切り装置を提供する。【解決手段】透明のアクリル板で作った曲げた板をストーブのスイッチの上に被せるようにビスで取り付け、スイッチ操作棒でスイッチ操作穴５を通してスイッチの入・切を行うものである。【選択図】図１
0003108086.tif 000002
【実用新案登録請求の範囲】
【請求項１】
図１に示すように、ストーブ１に付いている入・切スイッチ２の上に、ストーブスイッチ入・切装置３をビス止めにしたものである。これを付ける事により図２のスイッチ入・切棒を使わなければ、スイッチの操作が出来ないという装置である。これにより、ストーブを消した時この棒をポケットや鞄等に入れておけば、外出時この棒が手元にある以上、ストーブを消したという確認がとれるようにしようとするものである。
【考案の詳細な説明】
【技術分野】
【０００１】  本考案はストーブの「点火」、「消火」を図１のスイッチ操作穴５より図２のスイッチ操作棒を使って操作しようとするものである。また、この穴５は大人や子供の指が入らない大きさにする。こうする事により操作棒を使わなければスイッチの操作が出来ないというものである。ストーブを点火の際は、この棒を図１中のスイッチ操作棒４の位置に収めておき、消火の際はこの棒をポケットや鞄等に入れて外出すれば棒を持っている事によりストーブを確実に消したという事が確認できるしくみである。また、穴５は非常に小さいため、幼児の指も入らないので、子供がいたずらで、或いは誤ってストーブを点火するという事もなくなる。
【背景技術】
【０００２】  従来、ストーブのスイッチは手の指先で「入」、「切」していたので、外出した際、ストーブを確実に消したかどうか不安が残った。【０００３】  この改善は、そうした不安を解消しようとするものであり、また、幼児が誤ってストーブを点火してしまうという事もなくそうとするものである。
【考案の開示】
【考案が解決しようとする課題】
【０００４】  ストーブの「点火」、「消火」を行うに際し、図２のスイッチ操作棒を使わなければその操作が出来ず、消火の後この棒を手元に持っていようとするものである。この棒が手元にあれば必ずストーブを消したことになる。更に、棒が通る穴は幼児の指より小さくしてあるので、この棒を大人が持っていれば、子供が誤ってストーブをつけるという事もなくなる。
【課題を解決するための手段】
【０００５】  図１に示すように、ストーブの押しボタンスイッチの上に図３のような曲げた板をビスで取り付ける。
【考案の効果】
【０００６】  この考案により、外出先でもストーブを確実に消したかどうかが確認でき、更に幼児が誤って、或いはいたずらで点火することが出来なくなるという効果がある。もう一つ、この棒の先端を図２のようにつぶしているので、これを使って缶コーヒーや缶ジュースのプルトップを女性でも簡単に開けられるという効果がある。
【考案を実施するための最良の形態】
【０００７】  図１のようにストーブ１のスイッチの上に被さるように、図３の曲げた板をビスで取り付け、図２の操作棒で図１のスイッチ操作穴５を押下してストーブの点火、消火を行う。点火後は、その棒を図１の棒立て穴６に入れておく。次に、ストーブを消した時には、この棒をポケットや鞄等に入れて持ち歩く。この棒が手元にある限りはストーブを消したという確認がとれる。
【実施例】
【０００８】  図１のようにストーブ１のスイッチの上に被さるように、図３の曲げた板をビスで取り付け、図２の操作棒で図１のスイッチ操作穴１を押下してストーブの点火、消火を行う。点火後は、その棒を図１の棒立て穴６に入れておく。次に、ストーブを消した時には、この棒をポケットや鞄等に入れて持ち歩く。この棒が手元にある限りはストーブを消したという確認がとれる。更にこの棒は、先端をつぶしてあるため、缶コーヒーや缶ジュースのプルトップを開ける際、この先端部分をプルトップの下に差し込むことで、指の爪を傷めることなく簡単に開けることが出来る。なお、この装置が不要な場合、ビスをゆるめれば取り外すことが出来るので、従来のスイッチ仕様になる。
【図面の簡単な説明】
【０００９】
【図１】取り付け部材をストーブに取り付けた実施例の全体図
【図２】ストーブ消火確認棒の図
【図３】この装置を作るための取り付け部材の図
【図１】
0003108086.tif 000003
【図２】
0003108086.tif 000004
【図３】
0003108086.tif 000005
【手続補正書】
【提出日】平成16年9月13日(2004.9.13)
【手続補正１】
【補正対象書類名】実用新案登録請求の範囲
【補正対象項目名】全文
【補正方法】変更
【補正の内容】
【実用新案登録請求の範囲】
【請求項１】
ストーブ１についている入・切スイッチ２の上に、ストーブスイッチ入・切装置３をビス止めにし、これを取り付けることによりスイッチ入・切棒４を使わなければスイッチの操作ができないという装置であり、これによりストーブを消した時、この棒をポケットや鞄等に入れておけば、外出時にこの棒が手元にある以上ストーブを消したという確認ができるようにしたストーブスイッチ入・切装置。